(57)【特許請求の範囲】
【請求項１】
燃焼制御用情報に基づいて運転を制御する制御手段が設けられている燃焼装置であって、
前記燃焼制御用情報を求めるための複数の２値情報を設定する複数の設定スイッチが設けられ、
前記複数の設定スイッチにて設定される複数の２値情報を記憶する記憶手段が設けられ、
前記制御手段が、前記記憶手段に記憶されている複数の２値情報から前記燃焼用制御情報を求めて運転を制御し、かつ、前記複数の設定スイッチにて設定されている複数の２値情報と前記記憶手段に記憶されている複数の２値情報とが異なるときには、運転を牽制する牽制制御を実行するように構成されている燃焼装置。
【請求項２】
複数種の記憶状態に切換自在な記憶状態切換手段が設けられ、
前記記憶手段が、前記複数種の記憶状態のそれぞれについて、前記記憶状態切換手段にて設定される記憶状態およびその記憶状態における前記複数の設定スイッチにて設定される複数の２値情報を組情報として、その組情報を複数記憶するように構成され、
前記制御手段が、前記記憶状態切換手段にて設定されている現在の記憶状態における前記複数の設定スイッチにて設定されている複数の２値情報と、前記記憶手段に記憶されている前記複数の組情報のうち前記記憶状態切換手段にて設定されている現在の記憶状態に対応する前記組情報とが異なるか否かを判別して、前記牽制制御を実行するように構成されている請求項１に記載の燃焼装置。
【請求項３】
前記制御手段が、
モード切換指令手段の指令に基づいて、複数の検査工程のそれぞれにおいて複数の制御機能についての検査用の作動を実行するためのメンテナンス制御モードと、複数の制御機能に基づく通常の作動を実行するための通常制御モードとに切り換え自在に構成され、かつ、
前記通常制御モードにおいて、前記牽制制御を実行し、前記メンテナンス制御モードにおいて、前記記憶手段に記憶されている情報を書き換える書換制御を実行するように構成されている請求項１または２に記載の燃焼装置。
【請求項４】
前記記憶手段が、不揮発性記憶素子を備えて、その不揮発性記憶素子に、前記複数の設定スイッチにて設定される複数の２値情報およびその複数の２値情報から前記燃焼制御用情報を求めて運転を制御するための運転用制御情報を記憶するように構成され、
前記制御手段が、前記記憶手段に記憶されている情報に基づいて運転を制御するように構成されている請求項１〜３のいずれか１項に記載の燃焼装置。
【発明の詳細な説明】
【０００１】
【発明の属する技術分野】
本発明は、燃焼制御用情報に基づいて運転を制御する制御手段が設けられている燃焼装置に関する。
【０００２】
【従来の技術】
上記のような燃焼装置において、２値情報を設定する設定スイッチが複数設けられ、複数の設定スイッチの設定状態を適宜変更することによって、燃焼制御用情報を求めるためのガス種など種々の情報を設定して、この複数の設定スイッチにて設定される複数の２値情報から燃焼制御用情報を求めて運転を制御するものが知られている。
説明を加えると、このような燃焼装置では、ＯＮ／ＯＦＦなどの２値情報を複数の設定スイッチのそれぞれにて設定して、その複数の設定スイッチの設定状態から燃焼制御用情報が求められ、複数の設定スイッチの設定状態がひとつの記憶状態としてそのまま維持されるようにしている。つまり、複数の設定スイッチにて設定されている現在の複数の２値情報がそのままガス種など種々の情報とされ、例えば、使用するガス種が変更するときには、複数の設定スイッチにて設定されている複数の２値情報を設定し直すようにしている。
【０００３】
【発明が解決しようとする課題】
しかしながら、従来の燃焼装置では、複数の設定スイッチにて設定されている複数の２値情報をそのままガス種など種々の情報として、これらの情報から燃焼制御用情報を求めているために、使用者の手や物が当たるなど偶発的な動作によって誤って設定スイッチが切り換わると、その設定スイッチにて設定されている２値情報が変更されることとなって、誤った２値情報から誤った燃焼用制御情報が求められることとなり、誤った情報に基づいて運転が行われるという虞があった。
【０００４】
本発明は、かかる点に着目してなされたものであり、その目的は、誤った情報に基づいて運転が行われるのを防止することが可能となる燃焼装置を提供する点にある。
【０００５】
【課題を解決するための手段】
この目的を達成するために、請求項１に記載の発明によれば、燃焼制御用情報に基づいて運転を制御する制御手段が設けられている燃焼装置において、前記燃焼制御用情報を求めるための複数の２値情報を設定する複数の設定スイッチが設けられ、前記複数の設定スイッチにて設定される複数の２値情報を記憶する記憶手段が設けられ、
前記制御手段が、前記記憶手段に記憶されている複数の２値情報から前記燃焼用制御情報を求めて運転を制御し、かつ、前記複数の設定スイッチにて設定されている複数の２値情報と前記記憶手段に記憶されている複数の２値情報とが異なるときには、運転を牽制する牽制制御を実行するように構成されている。
【０００６】
つまり、使用者の手や物が設定スイッチに当たるなどの偶発的な動作および記憶手段にビット欠けなどの異常が発生すると、前記複数の設定スイッチにて設定されている複数の２値情報と前記記憶手段に記憶されている複数の２値情報とが異なるので、前記複数の設定スイッチにて設定されている複数の２値情報と前記記憶手段に記憶されている複数の２値情報とが異なるときには、運転を牽制する牽制制御を実行することによって、使用者の手や物が設定スイッチに当たるなどの偶発的な動作および記憶手段にビット欠けなどの異常が発生しても、誤った情報に基づいて運転が制御されるのを防止することが可能となる。
【０００７】
説明を加えると、使用者の手や物が設定スイッチに当たるなど偶発的な動作により誤った情報に基づいて運転が制御されるのを防止するためには、複数の設定スイッチにて設定される複数の２値情報を記憶する記憶手段を設けて、その記憶手段に記憶されている複数の２値情報から燃焼制御用情報を求めて運転を制御することが考えられるが、この場合では、記憶手段にビット欠けなどの異常が発生すると、記憶手段に記憶されている複数の２値情報が誤った情報となる可能性があるので、依然として誤った情報に基づいて運転が制御される可能性が残ることとなるが、上述のように、前記牽制制御を実行することによって、使用者の手や物が設定スイッチに当たるなどの偶発的な動作および記憶手段にビット欠けなどの異常が発生しても、誤った情報に基づいて運転が制御されるのを防止することが可能となる。
【０００８】
請求項２に記載の発明によれば、複数種の記憶状態に切換自在な記憶状態切換手段が設けられ、前記記憶手段が、前記複数種の記憶状態のそれぞれについて、前記記憶状態切換手段にて設定される記憶状態およびその記憶状態における前記複数の設定スイッチにて設定される複数の２値情報を組情報として、その組情報を複数記憶するように構成され、
前記制御手段が、前記記憶状態切換手段にて設定されている現在の記憶状態における前記複数の設定スイッチにて設定されている複数の２値情報と、前記記憶手段に記憶されている前記複数の組情報のうち前記記憶状態切換手段にて設定されている現在の記憶状態に対応する前記組情報とが異なるか否かを判別して、前記牽制制御を実行するように構成されている。
【０００９】
つまり、複数種の記憶状態のそれぞれにおいて、複数の設定スイッチにて２値情報が設定することができるので、記憶状態が２つの状態に切換可能なものでは、複数の設定スイッチのそれぞれにて２値情報を２回ずつ設定することができ、さらに、記憶状態が３つの状態に切換可能なものでは、複数の設定スイッチのそれぞれにて２値情報が３回ずつ設定することができ、切換可能な記憶状態の数に応じてひとつの設定スイッチにて複数の２値情報を２倍、３倍、あるいはそれ以上に設定することができ、ガス種などの種々の情報に対する設定スイッチの数を減少させることができる。
したがって、ガス種などの種々の情報に対する設定スイッチの数を減少させてコストの低減を図りながら、記憶状態切換手段にて設定されている現在の記憶状態における複数の設定スイッチにて設定されている複数の２値情報と、記憶手段に記憶されている前記複数の組情報のうち前記記憶状態切換手段にて設定されている現在の記憶状態に対応する前記組情報とが異なるときには、運転を牽制する牽制制御を実行することによって、誤った情報に基づいて運転が行われることを防止することが可能となる。
【００１０】
請求項３に記載の発明によれば、前記制御手段が、モード切換指令手段の指令に基づいて、複数の検査工程のそれぞれにおいて複数の制御機能についての検査用の作動を実行するためのメンテナンス制御モードと、複数の制御機能に基づく通常の作動を実行するための通常制御モードとに切り換え自在に構成され、かつ、
前記通常制御モードにおいて、前記牽制制御を実行し、前記メンテナンス制御モードにおいて、前記記憶手段に記憶されている情報を書き換える書換制御を実行するように構成されている。
つまり、例えば、使用するガス種の変更に伴って燃焼制御用情報を求めるための複数の２値情報の変更が必要となっても、モード切換指令手段にてメンテナンス制御モードにモード切換して、複数の設定スイッチにて複数の２値情報を変更設定するだけでよく、通常の作動が実行される通常制御モードにおいては、牽制制御が実行されることになる。
したがって、複数の２値情報の変更の必要性が生じても容易に対応することができるとともに、誤った情報に基づいて運転が行われることを防止することが可能となる。
【００１１】
請求項４に記載の発明によれば、前記記憶手段が、不揮発性記憶素子を備えて、その不揮発性記憶素子に、前記複数の設定スイッチにて設定される複数の２値情報およびその複数の２値情報から前記燃焼制御用情報を求めて運転を制御するための運転用制御情報を記憶するように構成され、
前記制御手段が、前記記憶手段に記憶されている情報に基づいて運転を制御するように構成されている。
つまり、複数の２値情報を記憶する記憶手段とは別に運転用制御情報を記憶するための記憶手段を設けるものでは、複数の２値情報を記憶している記憶手段に対してビット欠けなどの異常が発生しているか否かを判別するとともに、運転用制御情報を記憶している記憶手段に対してもビット欠けなどの異常が発生しているか否か判別する必要があるが、不揮発性記憶素子に、複数の２値情報だけでなく、運転用制御情報をも記憶させるので、ひとつの記憶手段に対してビット欠けなどの異常が発生しているか否か判別するだけでよく、誤った情報に基づいて運転が制御されるのを防止することが可能となる。
【００１２】
【発明の実施の形態】
本発明にかかる燃焼装置を給湯装置に適応した例を図面に基づいて説明する。
この給湯装置は、図１に示すように、供給される水を加熱して出湯栓７に給湯する給湯部Ｋ、この給湯部Ｋの運転を制御する制御手段としての制御部Ｈ、この制御部Ｈに動作情報を指令するリモコンＲなどから構成されている。
【００１３】
前記給湯部Ｋは、燃焼室１内に設けられている水加熱用の熱交換器２、この熱交換器２を加熱するガス燃焼式のバーナ３などから構成され、このバーナ３の上流側から燃焼用空気を通風するとともに、その通風量を変更調整自在なファン４も設けられ、そのファン４の回転数を検出する回転数センサ４ａも設けられている。
【００１４】
そして、熱交換器２には、例えば家庭用の水道などから水が供給される入水路５、加熱後の湯水を手動式の出湯栓７に出湯する出湯路６とがそれぞれ接続されている。
前記入水路５には、熱交換器２への通水量を検出する通水量センサ８、入水路５を通して供給される水の温度を検出する入水温サーミスタ９がそれぞれ備えられている。また、出湯路６には、出湯栓７から出湯される湯水の温度を検出する出湯温サーミスタ１０が設けられている。
【００１５】
バーナ３に対する燃料供給路１１には、燃料供給を断続する電磁操作式の断続弁１２、燃料供給量（バーナ３の燃焼量）を変更調整自在な電磁操作式のガス量調節弁１３が備えられ、バーナ３の近くには、バーナ３に対する点火動作を実行するイグナイタ１４と、バーナ３が着火されているか否かを検出するフレームロッド１５とがそれぞれ備えられている。
【００１６】
前記リモコンＲは、給湯部Ｋの運転の開始・停止を指令する運転スイッチ１６、出湯用の目標温度を変更設定自在な温度設定スイッチ１７、出湯温度や出湯用の目標温度などを表示する表示部１８、運転状態であることを表示する運転ランプ１９、バーナ３が燃焼状態であることを表示する燃焼ランプ２０などから構成されている。
【００１７】
そして、図２に示すように、ＯＮ／ＯＦＦの２値情報を設定可能な２値情報設定スイッチ２１が複数（例えば８つ）設けられ、この２値情報設定スイッチ２１のひとつが２つの記憶状態に切換自在な記憶状態切換手段としての記憶状態切換スイッチ２２に構成され、残りの７つの２値情報設定スイッチ２１が２つの記憶状態のそれぞれにおいて複数の２値情報を設定する設定スイッチ２３に構成されている。
前記制御部Ｈは、不揮発性記憶素子を備えた記憶手段としてのメモリ１０１、複数の設定スイッチ２３にて設定される複数の２値情報とメモリ１０１に記憶される複数の２値情報とが異なるか否かを判別する比較手段１０２、メモリ１０１に記憶されている情報に基づいて運転を制御する燃焼制御手段１０３などから構成されている。
【００１８】
また、前記制御部Ｈは、モード切換指令手段としてのモード切換スイッチ２４の指令に基づいて、複数の検査工程のそれぞれにおいて複数の制御機能についての検査用の作動を実行するためのメンテナンス用制御モードと、複数の制御機能に基づく通常の作動を実行するための通常制御モードとに切り換え自在に構成されている。
【００１９】
前記メモリ１０１は、複数種の記憶状態のそれぞれについて、記憶状態切換スイッチ２２にて設定される記憶状態およびその記憶状態における複数の設定スイッチ２３にて設定される複数の２値情報を組情報として、その組情報を複数記憶するとともに、その複数の設定スイッチ２３にて設定される複数の２値情報から燃焼制御用情報を求めて運転を制御するための運転用制御情報を記憶するように構成されている。
つまり、この実施形態では、記憶状態切換スイッチ２２が２つの記憶状態に切換自在であるので、ガス種など種々の情報を設定するときに、前記メモリ１０１には、記憶状態切換スイッチ２２にて設定されるＯＮ記憶状態とそのＯＮ記憶状態における複数の設定スイッチ２３にて設定されるＯＮ用の複数の２値情報であるＯＮ組情報と、記憶状態切換スイッチ２２にて設定されるＯＦＦ記憶状態とそのＯＦＦ記憶状態における複数の設定スイッチ２３にて設定されるＯＦＦ用の複数の２値情報であるＯＦＦ組情報との２つの組情報が記憶され、ガス種など種々の情報である複数の２値情報から燃焼制御用情報が求めて運転を制御するための運転制御プログラムが記憶されるようにしている。
【００２０】
したがって、この実施形態では、複数の設定スイッチ２３のそれぞれにて２値情報を２回ずつ設定することができるので、設定スイッチ２３にて複数の２値情報を２倍設定することができ、ガス種などの種々の情報に対する設定スイッチ２３の数を減少させることができ、コストの低減を図ることが可能となる。
【００２１】
そして、前記制御部Ｈは、メンテナンス制御モードにおいて、必要に応じてメンテナンス作業用の作動を実行するとともに、メモリ１０１に記憶されている情報を書き換える書換制御を実行し、通常制御モードにおいて、メモリ１０１に記憶されている情報に基づいて燃焼制御を実行するとともに、記憶状態切換スイッチ２２にて設定されている現在の記憶状態における複数の設定スイッチ２３にて設定されている複数の２値情報と、メモリ１０１に記憶されている２つの組情報のうち記憶状態切換スイッチ２２にて設定されている現在の記憶状態に対応する組情報とが異なるときには、運転を牽制する牽制制御を実行するようにしている。
【００２２】
具体的に説明すると、器具の検査などのメンテナンス作業の必要性や使用するガス種などの変更によりメモリ１０１に記憶されている情報を書換設定する必要性が生じたときには、必要に応じて器具の検査などのメンテナンス作業をするとともに、記憶状態切換スイッチ２２にて設定される記憶状態とその記憶状態における複数の設定スイッチ２３にて設定される複数の２値情報である組情報を書き換える書換制御を実行するようにしている。なお、書き換えられた情報は、モード切換スイッチ２４にてメンテナンス制御モードから通常制御モードに切り換えられるに伴って記憶するようにしている。
【００２３】
つまり、器具の検査などのメンテナンス作業においては、例えば、生産工程において複数の制御機能について検査工程が実行されるようにしている。
バーナ３の点火・消火動作の検査であると、断続弁１２およびガス量調節弁１３を開弁させて、イグナイタ１４によりバーナ３に点火させたり、断続弁１２およびガス量調節弁１３を閉弁させてバーナ３の燃焼を停止させたりするようにして、バーナ３の点火・消火動作が正常に行われるか否か検査するようにしている。
また、不完全燃焼判別動作の検査であると、バーナ３に点火させるときに一時的に高くなるＣＯ濃度をＣＯセンサなどにより検出することで、不完全燃焼の判別動作が正常に実行されるか否かを検査するようにしている。
【００２４】
そして、前記書換制御は、複数種の記憶状態のそれぞれについて、記憶状態切換スイッチ２２にて設定される記憶状態およびその記憶状態における複数の設定スイッチ２３にて設定される複数の２値情報を組情報として、その組情報を複数記憶し直すとともに、運転用制御情報を変更設定して記憶し直すように構成されている。
つまり、組情報については、記憶状態切換スイッチ２２にて設定されるＯＮ記憶状態とそのＯＮ記憶状態における複数の設定スイッチ２３にて設定されるＯＮ用の複数の２値情報であるＯＮ組情報と、記憶状態切換スイッチ２２にて設定されるＯＦＦ記憶状態とそのＯＦＦ記憶状態における複数の設定スイッチ２３にて設定されるＯＦＦ用の複数の２値情報であるＯＦＦ組情報との２つの組情報が設定され、モード切換スイッチ２４にて通常制御モードに設定されるに伴い設定された２つの組情報が記憶されるようにしている。
また、運転用制御情報については、制御動作の追加・変更の必要性が発生するに伴い運転制御プログラムを変更するようにしている。
【００２５】
前記燃焼制御は、メモリ１０１に記憶されている複数の組情報からガス種や給湯装置の号数などの情報を読み取り、それらの情報に適した燃焼制御用情報を求めて、運転用制御情報に基づいてバーナ３の燃焼状態を制御するようにしている。
つまり、モード切換スイッチ２４にて通常制御モードが設定されている状態で、運転スイッチ１６のＯＮ操作に伴って出湯運転状態に設定された後に、給湯栓７の開操作に伴って通水量センサ８にて検出される通水量が設定水量を超えると、ファン４による通風作動を開始し、かつ、断続弁１２を開弁させてガス量調節弁１３を点火用ガス量になるように開弁調整するとともに、イグナイタ１４によってバーナ３へ着火し、フレームロッド１５によって確認する。
【００２６】
その後、入水温サーミスタ９、出湯温サーミスタ１０、通水量センサ８のそれぞれの検出情報、および、温度設定スイッチ１７にて設定されている目標温度の情報に基づいて、給湯温度を目標温度にするために必要なバーナ３の燃焼量を演算にて求める。そして、求められた燃焼量に対応するガス量になるようにガス量調節弁１３を調整制御するとともに、ファン４の通風量が調整ガス量に対して適正燃焼状態になるようにファン４による通風量を調整制御するフィードフォワード制御を実行し、さらに、出湯温サーミスタ１０の検出温度が目標温度になるように、燃料調整弁１３の開度を微調整するフィードバック制御を実行する。
このようにして、給湯栓７から目標温度の湯水が出湯されることになる。
【００２７】
前記牽制制御は、電源の投入および電源のリセット操作や前回牽制制御が実行されてから設定時間が経過するなど牽制制御の実行のタイミングになると実行される。
そして、牽制制御は、現在複数の設定スイッチ２３にて設定されている複数の２値情報と、現在記憶状態切換スイッチ２２にて設定されている記憶状態に対応する組情報としてメモリ１０１に記憶されている複数の２値情報が異なるか否かを判別して、異なるときには燃焼ランプ２０を点滅して報知作動して、その後にバーナ３の燃焼が行われないようにしている。
【００２８】
つまり、記憶状態切換スイッチ２２が現在ＯＮ記憶状態に設定されているときには、複数の設定スイッチ２３にて設定されている現在の複数の２値情報と、メモリ１０１に記憶されているＯＮ組情報のＯＮ用の複数の２値情報とが異なるか否かを判別して、牽制制御が実行される。
また、記憶状態切換スイッチ２２が現在ＯＦＦ記憶状態に設定されているときには、複数の設定スイッチにて設定されている現在の複数の２値情報と、メモリ１０１に記憶されているＯＦＦ情報のＯＦＦ用の複数の２値情報とが異なるか否かを判別して、牽制制御が実行される。
【００２９】
このようにして、上述の牽制制御を実行することによって、使用者の手や物が設定スイッチ２３に当たるなどの偶発的な動作およびメモリ１０１にビット欠けなどの異常が発生しても、誤った情報に基づいて運転が制御されるのを防止することが可能となる。
【００３０】
前記制御部Ｈの動作について、図３のフローチャートに基づいて説明する。
まず、運転スイッチ１６がＯＮされている状態で、モード切換スイッチ２４が通常制御モードに設定されていると、前回牽制制御が実行されてから設定時間が経過するなど牽制制御実行タイミングか否かを判別して、牽制制御実行タイミングであると、牽制制御を実行する（ステップ１〜３）。
【００３１】
つまり、記憶状態切換スイッチ２２が現在ＯＮ記憶状態に設定されているときには、複数の設定スイッチ２３にて設定されている現在の複数の２値情報と、メモリ１０１に記憶されているＯＮ組情報のＯＮ用の複数の２値情報とについて、また、記憶状態切換スイッチ２２が現在ＯＦＦ記憶状態に設定されているときには、複数の設定スイッチにて設定されている現在の複数の２値情報と、メモリ１０１に記憶されているＯＦＦ情報のＯＦＦ用の複数の２値情報とについて、異なるか否か判別する判別処理が実行される（ステップ４）。そして、その比較される２つの情報が異なるときには、燃焼ランプ２０を点滅して報知作動するとともに、その後にバーナ３の燃焼が行われないように異常停止する（ステップ５〜７）。
【００３２】
また、比較される２つの情報が同じ情報である場合には、メモリ１０１に記憶されている複数の設定スイッチ２３にて設定される複数の２値情報から燃焼制御用情報を求めて運転用制御情報に基づいてバーナ３の燃焼制御を実行する。
つまり、給湯栓７の開操作に伴って通水量センサ８にて検出される通水量が設定水量を超えると、ファン４による通風作動を開始し、かつ、断続弁１２を開弁させてガス量調節弁１３を点火ガス量になるように開弁調整するとともに、イグナイタ１４によってバーナ３へ着火し、フレームロッド１５によって確認する点火処理を実行する（ステップ８，９）なお、点火処理を実行しても、フレームロッド１５によりバーナ３の着火が確認されず不着火であると、表示部１８にエラー表示して、断続弁１２およびガス量調節弁１３を閉弁して、その後ファン４の作動を停止させる異常停止を行う。
【００３３】
そして、点火処理を実行してバーナ３へ着火されると、入水温サーミスタ９、出湯温サーミスタ１０、通水量センサ８のそれぞれの検出情報、および、温度設定スイッチ１７にて設定されている目標温度の情報に基づいて、給湯温度を目標温度にするために必要なバーナ３の燃焼量を演算にて求め、その求められた燃焼量に対応するガス量になるようにガス量調節弁１３を調整制御するとともに、ファン４の通風量が調整ガス量に対して適正燃焼状態になるようにファン４の通風量を調整制御するフィードフォワード制御を実行し、さらに、出湯温サーミスタ１０の検出温度が目標温度になるように、ガス量調整弁１３の開度を微調整するフィードバック制御を実行する（ステップ１０）。
【００３４】
このようにして、フィードフォワード制御およびフィードバック制御によるガス量および通風量の調整制御は、給湯栓７の閉操作に伴って通水量センサ８にて検出される通水量が設定水量未満になるか、または、運転スイッチ１６がＯＦＦされるまで実行される（ステップ１１，１２）。つまり、通水量センサ８にて検出される通水量が設定水量未満になるか、または、運転スイッチ１６がＯＦＦされると、断続弁１２とガス量調節弁１３が閉弁され、設定時間経過した後ファン４の作動を停止させてバーナ３の燃焼を停止させる燃焼停止処理を実行する（ステップ１３）。
【００３５】
そして、器具の検査などのメンテナンス作業の必要性やメモリ１０１に記憶されている情報を書換設定する必要性が生じて、モード切換スイッチ２４にてメンテナンス制御モードに設定されると、必要に応じてメンテナンス作業や書換制御が実行される。
つまり、メンテナンス作業が必要であるときには、バーナ３の点火・消火動作および不完全燃焼判別動作の検査などのメンテナンス作業を実行する（ステップ２，１４）。
【００３６】
メンテナンス作業として、バーナ３の点火・消火動作を検査するときには、断続弁１２およびガス量調節弁１３を開弁させて、イグナイタ１４によりバーナ３に点火させたり、断続弁１２およびガス量調節弁１３を閉弁させてバーナ３の燃焼を停止させたりするようにして、バーナ３の点火・消火動作が正常に行われるか否か検査するようにしている。
また、不完全燃焼判別動作の検査するときには、バーナ３に点火させるときに一時的に高くなるＣＯ濃度をＣＯセンサなどにより検出することで、不完全燃焼の判別動作が正常に実行されるか否かを検査するようにしている。
【００３７】
そして、上述の検査工程において、バーナ３への点火動作にもかかわらず、フレームロッド１５により着火が確認されなかったり、バーナ３への点火動作が行われないなどの検査異常、あるいは、不完全燃焼が判別されないなどの検査異常が発生すると、報知作動して表示部１８に異常が発生した検査項目とその異常内容を表示する。
【００３８】
また、書換制御を実行して、メモリ１０１に記憶されている情報を書換設定するときには、複数種の記憶状態のそれぞれについて、記憶状態切換スイッチ２２にて設定される記憶状態およびその記憶状態における複数の設定スイッチ２３にて設定されてる複数の２値情報を組情報として、その組情報を複数記憶し直すとともに、運転用制御情報を変更設定して記憶し直し、それらの作業が終了すると、モード切換スイッチ２４にて通常制御モードに設定して、通常の作動が実行されるようにしている（ステップ１５）。なお、モード切換スイッチ２４が通常制御モードに切り換えられると、変更設定された情報をメモリ１０１に記憶させるようにしている。
【００３９】
〔別実施形態〕
（１）上記実施形態では、記憶状態切換スイッチ２２を設け、メモリ１０１に記憶状態切換スイッチ２２にて設定される記憶状態およびその記憶状態における複数の設定スイッチ２３にて設定される複数の２値情報を組情報として、複数の組情報を記憶させるようにしているが、記憶状態切換スイッチ２２を設けずに、複数の設定スイッチ２３にて設定される複数の２値情報のみをメモリ１０１に記憶させるようにしてもよい。
【００４０】
（２）上記実施形態では、モード切換スイッチ２４の指令に基づいて、メンテナンス制御モードと通常制御モードとに切り換え自在に構成されているが、通常制御モードのみを備え、この通常制御モードにおいて、書換制御を実行するようにしてもよい。
【００４１】
（３）上記実施形態では、メモリ１０１に運転用制御情報をも記憶させるようにしているが、運転用制御情報を記憶するための専用のメモリを設けるようにしてもよい。
【００４２】
（４）上記実施形態では、現在複数の設定スイッチ２３にて設定されている複数の２値情報と、現在記憶状態切換スイッチ２２にて設定されている記憶状態に対応する組情報としてメモリ１０１に記憶されている複数の２値情報が異なるか否かを判別して、異なるときには燃焼ランプ２０を点滅して報知作動するようにしているが、燃焼ランプ２０の点滅に加え、表示部１８に異常表示したり、報知ブザーなどにて報知作動するようにしてもよい。
【００４３】
（５）上記実施形態では、記憶状態切換手段を２値情報設定可能な２値情報スイッチ２１にて２つの記憶状態に切換可能にしているが、記憶状態切換手段を３つ以上の記憶状態に切換可能な２値情報スイッチ２１とは別体のスイッチで構成してもよい。
そして、この場合には、記憶状態のそれぞれにおいて、複数の設定スイッチ２３による２値情報が設定可能で、例えば、記憶状態切換手段が３つの記憶状態に切換自在なものでは、複数の設定スイッチ２３にて最大３回ずつの２値情報が設定可能となる。
【００４４】
（６）上記実施形態では、メモリ１０１が不揮発性記憶素子を備えて構成されているが、揮発性記憶素子を備えて構成してもよく、各種の記憶素子が適応可能である。
【００４５】
（７）上記実施形態では、本発明にかかる燃焼装置を給湯装置に適応した例を示しているが、暖房装置などその他各種の装置に適応可能である。
【図面の簡単な説明】
【図１】給湯装置の全体概略構成図
【図２】制御ブロック図
【図３】制御動作を示すフローチャート
【符号の説明】
２２            記憶状態切換手段
２３            設定スイッチ
２４            モード切換指令手段
１０１          記憶手段
Ｈ              制御手段
【図１】
0004056178.tif 000002
【図２】
0004056178.tif 000003
【図３】
0004056178.tif 000004